(57)【要約】【課題】  ホルダー本体に軸支されたロール形のトイレットペーパーを片手で簡単に切断できる上、見栄え良くＶ字状に切断端を垂下できるトイレットペーパーホルダーと、そのペーパー切断具を提供すること。【解決手段】  トイレットペーパーホルダーＡは、ロール形のトイレットペーパー１を軸支するホルダー本体６と、トイレットペーパー１を覆って上下開閉自在に軸支されるカバー７と、カバー７の先端部に着脱自在に接合されるペーパー切断具Ｂとから成っており、ペーパー切断具Ｂは、カバー７への接合部８に幅方向中央を頂点９とするＶ字状の切断刃１０が所要の角度α°で連接され、その角度は切断刃１０の頂点９が少なくとも、取り付け状態のトイレットペーパー１のロール部１６の水平中心線１７上でその周面より前方に位置取りされて成る。このほか、ペーパー切断具Ｃはペーパー切断具Ｂにおける両面接着体１２が弾性挟持部１９をもつ挟持体２０に置換されて成る。【選択図】  図１
2005253762.tif 000002
【特許請求の範囲】
【請求項１】
ロール形のトイレットペーパーを回転自在に軸支するホルダー本体と、トイレットペーパーを覆って上下自在に軸支されるカバーと、カバーの先端部に着脱自在に接合されるペーパー切断具とから成るトイレットペーパーホルダーにおいて、
前記ペーパー切断具は、カバーへの接合部に幅方向中央を頂点とするＶ字状の切断刃が所要の角度で連接され、その角度は切断刃の頂点が少なくとも、取り付け状態のトイレットペーパーのロール部の水平中心線上でその周面より前方に位置取りされて成るトイレットペーパーホルダー。
【請求項２】
カバーへの接合手段としての両面接着体を接合した接合部に幅方向中央を頂点とするＶ字状の切断刃が所要の角度で連接され、その角度はトイレットペーパーホルダーのカバーに取り付けられた状態で切断刃の頂点が少なくとも、取り付け状態のトイレットペーパーのロール部の水平中心線上でその周面より前方に位置取りされることを特徴とするペーパー切断具。
【請求項３】
前記接合手段としての両面接着体が、側面横向きＵ字状の弾性挟持部をもつ挟持体に置換されて成る請求項２記載のペーパー切断具。
【発明の詳細な説明】
【技術分野】
【０００１】
本発明は、ロール形のトイレットペーパーを保持するトイレットペーパーホルダーと該ホルダーに用いるトイレットペーパーを切断するペーパー切断具に関する。
【背景技術】
【０００２】
一般的なトイレットペーパーホルダーは、ロール形のトイレットペーパーをカバーの先端部で切断したときに、残ったペーパーの先端がカバー先端と重なるため、次に使用するにはロール部を回してペーパーの先端を指で摘む程度に垂れ下げる必要がある。
そこで、カバーの先端部に該先端より離隔された位置に切断刃を有する切断手段を着脱自在に接合したトイレットペーパーホルダー及びそのペーパー切断具が特開平０６−３４３５７４号公報（以下、先行技術とする。）に提案されている。
該先行技術は切断手段の切断刃がカバー先端部と平行である上、切断刃のカバー先端からの離隔位置が前方へ位置することから、切断後のペーパーの下端はロール部の中心より上方にあること、切断には切断刃の左右何れか一端側からの切断となること、使用する際にはペーパーの下端がロール部の周上にあって引き出し難いこと等の問題がある。
【特許文献１】特開平０６−３４３５７４号公報
【発明の開示】
【発明が解決しようとする課題】
【０００３】
本発明は、ホルダー本体に軸支されたロール形のトイレットペーパーを片手で切断できる上、切断端を垂下できるトイレットペーパーホルダーと、そのペーパー切断具を提供するものである。
【課題を解決するための手段】
【０００４】
本発明の請求項１に記載のトイレットペーパーホルダーは、ロール形のトイレットペーパーを軸支するホルダー本体と、トイレットペーパーを覆って上下自在に軸支されるカバーと、カバーの先端部に着脱自在に接合されるペーパー切断具とから成るトイレットペーパーホルダーにおいて、
前記ペーパー切断具は、カバーへの接合部に幅方向中央を頂点とするＶ字状の切断刃が、所要角度で連接されるにあたって切断刃の頂点が少なくとも、取り付け状態のトイレットペーパーのロール部の水平中心線上でその周面より前方に位置取りされて成る。
本発明の請求項２に記載したペーパー切断具は、カバーへの接合手段としての両面接着体を接合した接合部に、幅方向中央を頂点とするＶ字状の切断刃が所要の角度で連接されるにあたって切断刃の頂点が少なくとも、取り付け状態のトイレットペーパーのロール部の水平中心線上でその周面より前方に位置取りされて成る。
本発明の請求項３に記載したペーパー切断具は、請求項２に記載したペーパー切断具において、
前記接合手段としての両面接着体が、側面横向きＵ字状の弾性挟持部をもつ挟持体に置換されて成る。
【発明の効果】
【０００５】
本発明のトイレットペーパーホルダーによれば、トイレットペーパーを切断するときは、ロール部の周面と該ペーパーの垂下部との間の空間によって摘み出し易いこと、幅方向中央の切断刃の頂点から左右へ同時に切断できるから切断が早いこと、切断はカバーを押さえ込む方向に作用するから使用時カバーを押さえつける必要がない効果がある。
【発明を実施するための最良の形態】
【０００６】
本発明における切断刃の最大幅はロール形のトイレットペーパーの規格幅に限定されるが、接合部の幅はカバーの内面両端の設けられるリムの内幅に収まる寸法が選択されるから、折曲部には段差が設けられる。リムのないカバーでは該段差は必要ないが、各種のトイレットペーパーホルダーへの互換性を考慮すれば、段差を設けて接合部と切断刃を連接するのが最良となる。切断刃は透明体から成るものであれば、垂下するロール形のトイレットペーパーの切断端が切断刃を通して目視できるからその引き出しには便利であるが、頂点が見え難くなるから頂点乃至は切断刃周辺に着色するがよい。接合部と切断刃とを連接する折曲部での連接角度は、ロール形のトイレットペーパーの切断端を引き出すときに、指が切断刃の頂点に干渉しないようにロール部の周面より前方へはみ出るように選択されるものであるが、互換性を重視すればカバーも区々であるから、切断刃は適度な剛直性で変形自在なものが選択され、折曲部は折曲自在で剛直性のあるものが選択される。
【実施例】
【０００７】
本発明を実施例により説明すると、図１、図２に示すように、トイレットペーパーホルダーＡはロール形のトイレットペーパー１を軸棒に軸支し、背面３には壁面（図外）への取付け用の両面接着体４やビス穴５などを具備した平面コの字状のホルダー本体６と、ホルダー本体６にトイレットペーパー１を覆って開閉自在に軸支されるカバー７と、カバー７の前端部に着脱自在に接合されるペーパー切断具Ｂとから成る。ペーパー切断具Ｂは不透明な合成樹脂製で図３に示すように、カバー７への接合部８と、幅をカバー７の幅と同一寸法とし幅方向中央前方を頂点９とするＶ字状の切断刃１０とから成っている。接合部８はカバー７への接着のため上面に剥離紙１１付きの両面接着体１２を接着し、切断刃１０は接合部８に対して後記の連接角度α°で折曲部１３において接合されている。折曲部１３には接合部８がカバー７の内面両端に設けられたリム１４をかわすための段差１５が設けられている。前記連接角度α°は、カバー７の内面に両面接着体１２を介して接着された接合部８に対して切断刃１０の頂点９が、ホルダー本体６に軸支されたトイレットペーパー１のロール部１６に対して、その水平中心線１７上から下方にあってそのロール部１６の周面より前方にあるように選択される。
【０００８】
このようにして成るトイレットペーパーホルダーＡは、トイレの壁面に背面３が接合され、トイレットペーパー１を使用するときは、下端を持って引き出し切断刃１０の頂点９に押し当てつつ上方へ持ち上げると、切断抵抗がカバー７を下方へ押し付けるように作用するためカバー７は上方へ開くことなく、切断刃１０によってトイレットペーパー１は頂点９から左右へ簡単に切断される。そのときのトイレットペーパー１の下端はロール部１６の水平中心線１７の接線上の垂下されるから、ロール部１６の下方周面とトイレットペーパーとの間には空間１８が形成される。次の使用では空間１８に指を入れられるから、ロール部１６を指で回すことなく摘み易くなる。
垂下される長さは図１の仮想線で示すように、頂点９がロール部１６の水平中心線１７上にあるときは、ロール部１６の周面から頂点９までの距離にみあう長さであり、水平中心線１７より下方にあるときは前記長さより長めとなる。
切断されたトイレットペーパー１の切断端の形状はＶ字状となって見栄えも良く、図５に示すように摘み出されて使用され、切断にはこの状態から切断刃１０の頂点９に押し付けつつ上方に持ち上げれば、カバー７を押さえ付けることなく片手で簡単に切断できる。
次に、図４に示したペーパー切断具Ｃは、ペーパー切断具Ｂとはカバー７への接合手段で相違したもので、接合部８に横向きＵ字状の弾性挟持部１９をもつ挟持体２０が、その下方を接合部８の前端から裏面に折り曲げて固着されている。このものもペーパー切断具Ｂにおける接合部８と同様に弾性挟持部１９を介してカバー７の先端部に嵌着して使用される。
【産業上の利用可能性】
【０００９】
本発明は家庭用設備に限らず広く衛生設備において互換性のペーパー切断具としても利用される。
【図面の簡単な説明】
【００１０】
【図１】本発明に係わるトイレットペーパーホルダーＡの縦断面図。
【図２】同上トイレットペーパーホルダーＡの平面図。
【図３】本発明に係わるペーパ−切断具Ｂの斜視図。
【図４】本発明に係わるペーパー切断具Ｃの斜視図。
【図５】本発明にトイレットペーパーホルダーＡの使用状態の説明図。
【符号の説明】
【００１１】
１：トイレットペーパー
２：軸棒
３：背面
４：両面接着体
５：ビス穴
６：ホルダー本体
７：カバー
８：接合部
９：頂点
１０：切断刃
１１：剥離紙
１２：両面接着体
１３：折曲部
１４：リム
１５：段差
１６：ロール部
１７：水平中心線
１８：空間
１９：弾性挟持部
２０：挟持体
α：連接角度
Ａ：トイレットペーパーホルダー
Ｂ、Ｃ：ペーパー切断具
【図１】
2005253762.tif 000003
【図２】
2005253762.tif 000004
【図３】
2005253762.tif 000005
【図４】
2005253762.tif 000006
【図５】
2005253762.tif 000007